(57)【要約】【課題】パネルの不十分な閉塞状態を容易に視認できるようにし、自動取引装置の安全性を確保する。【解決手段】装置本体２に回動可能に設けられ、装置本体２に対して開閉可能なパネル３を有する自動取引装置において、装置本体２は、回転可能な錠１０と、錠１０の回転により移動するロックシャフト１６とを有し、パネル３は、閉塞状態でロックブラケット１５から突出したロックシャフト１６が嵌入するロック受け１７を有し、ロックシャフト１６が移動した状態では、パネル３が開放状態から閉塞する方向へ回動するとき、ロック受け１７がロックシャフト１６に当接してパネル３と装置本体２との間に間隙を形成する。【選択図】        図５
2015031964.tif 000002
【特許請求の範囲】
【請求項１】
装置本体に回動可能に設けられ、前記装置本体に対して開閉可能なパネルを有する自動取引装置において、
前記装置本体は、
回転可能な錠と、
前記錠の回転により移動する移動部材とを有し、
前記パネルは、
閉塞状態で、移動した前記移動部材が嵌入する係合部材を有し、
前記錠の回転により移動部材が移動した状態では、前記パネルを開放状態から閉塞する方向へ回動させると、前記係合部材が前記移動部材に当接して前記パネルと装置本体との間に間隙が形成されることを特徴とする自動取引装置。
【請求項２】
請求項１に記載の自動取引装置において、
前記移動部材は、前記パネルの回転支点とを結ぶ方向に移動することを特徴とする自動取引装置。
【請求項３】
請求項２に記載の自動取引装置において、
前記装置本体は、前記移動部材を移動可能に支持する支持部材を有し、
前記移動部材は、摺動して前記支持部材から突出し、または前記支持部材に引き込まれることを特徴とする自動取引装置。
【請求項４】
請求項２に記載の自動取引装置において、
前記装置本体は、前記移動部材を移動可能に支持する支持部材を有し、
前記移動部材は、回動して前記支持部材から突出し、または前記支持部材に引き込まれることを特徴とする自動取引装置。
【請求項５】
請求項３または請求項４に記載の自動取引装置において、
前記錠から鍵が抜かれた状態では、前記移動部材が前記支持部材から突出することを特徴とする自動取引装置。
【請求項６】
請求項１から請求項５のいずれか１項に記載の自動取引装置において、
前記係合部材が、突出した前記移動部材の当接部に当接したとき、前記係合部材の装置本体側の先端部が描く軌道と、前記移動部材の前記当接部側の端部との交点を仮想交点とすると、
前記仮想交点と前記支持部材の前記移動部材の支持部との距離は、前記仮想交点と前記移動部材の当接部との距離より小さいことを特徴とする自動取引装置。
【発明の詳細な説明】
【技術分野】
【０００１】
本発明は、開閉可能なパネルを有する自動取引装置に関する。
【背景技術】
【０００２】
従来の自動取引装置は、カード挿入口およびレシート受取口等の媒体の挿入受取口を備えたパネルを有し、そのパネルを装置本体に対して開閉自在に設けているものがある（例えば、特許文献１参照）。
従来の自動取引装置のパネルの開閉について、図１０の従来の自動取引装置の斜視図および図１１の従来の自動取引装置のパネルおよび装置本体の側面図を用いて説明する。図１０に示すように、自動取引装置１００に設けられたパネル１０２は、装置本体１０１に対して垂直方向に開閉自在に設けられ、フロントカバー１０３に設けられた錠１０４により、その開閉動作がロックされるようになっている。
【０００３】
また、図１１に示すように、矢印Ａが示す方向のパネル１０２の開閉動作をロックするロック機構は、嵌合する鍵により回転自在な錠１０４と、装置本体１０１に固定されたロック台１０５と、ロック台１０５の回転支点１０６に回動自在に設けられ、矢印Ｃが示す方向に付勢されたロックレバー１０７と、錠１０４の回転とともに回転し、先端がロックレバー１０７を矢印Ｂが示す方向に押し上げる錠リンク１０８と、パネル１０２に取り付けられロックレバー１０７と係合することによりパネル１０２の回転を規制するロック受け１１０とにより構成され、ロックレバー１０７の先端部とロック受け１１０の先端部とが係合することにより、装置本体１０１に対してパネル１０２が閉塞状態となるようにロックし、一方錠１０４を回転することにより錠リンク１０８の先端部がロックレバー１０７を押し上げ、ロックレバー１０７の先端部とロック受け１１０の先端部との係合を解除し、装置本体１０１に対してパネル１０２が解放状態となるようにロックを解除する。
【先行技術文献】
【特許文献】
【０００４】
【特許文献１】特開２００２−５６４３０号公報
【発明の概要】
【発明が解決しようとする課題】
【０００５】
しかしながら、上述した従来の技術においては、鍵が錠から抜かれた状態でパネルが閉じられるとき、ロックレバーが回転し、ロック受けと係合する動作となるが、ロックレバーの縁部とロック受けの縁部とが引っ掛かり、ロックレバーとロック受けとの係合が不十分になり、パネルが完全に閉塞していないハーフロック状態となる可能性があり、ハーフロック状態になった場合、そのパネルの不十分な閉塞状態を視認することが困難であるため、自動取引装置の誤運用等を招き、セキュリティ等の安全性の確保が不十分となるという問題がある。
本発明は、このような問題を解決することを課題とし、パネルの不十分な閉塞状態を容易に視認できるようにし、自動取引装置の安全性を確保することを目的とする。
【課題を解決するための手段】
【０００６】
そのため、本発明は、装置本体に回動可能に設けられ、前記装置本体に対して開閉可能なパネルを有する自動取引装置において、前記装置本体は、回転可能な錠と、前記錠の回転により移動する移動部材とを有し、前記パネルは、閉塞状態で、移動した前記移動部材が嵌入する係合部材を有し、前記錠の回転により移動部材が移動した状態では、前記パネルを開放状態から閉塞する方向へ回動させると、前記係合部材が前記移動部材に当接して前記パネルと装置本体との間に間隙が形成されることを特徴とする。
【発明の効果】
【０００７】
このようにした本発明は、パネルの不十分な閉塞状態を容易に視認でき、自動取引装置の安全性を確保することができるという効果が得られる。
【図面の簡単な説明】
【０００８】
【図１】実施例におけるロック機構部の側面説明図
【図２】実施例における自動取引装置の斜視図
【図３】実施例におけるロック機構部の正面説明図
【図４】実施例における左側ロック機構部の斜視図
【図５】実施例における鍵を抜いた状態のロック機構部を示す説明図
【図６】実施例におけるロック前のロック機構部を示す説明図
【図７】実施例におけるロック後のロック機構部を示す説明図
【図８】実施例におけるロックシャフトとロック受けの位置関係を示す説明図
【図９】実施例におけるロックシャフトの変形例を示す説明図
【図１０】従来の自動取引装置の斜視図
【図１１】従来の自動取引装置のパネルおよび装置本体の側面図
【発明を実施するための形態】
【０００９】
以下、図面を参照して本発明による自動取引装置の実施例を説明する。
【実施例】
【００１０】
図２は実施例における自動取引装置の斜視図である。
図２において、自動取引装置１は、例えば紙幣や硬貨の入出金を行う現金自動預払機、乗車券、航空券、チケット等を発券する自動発券機、または商業施設や店舗等に設置される多機能端末装置等であり、装置本体２に回動可能に設けられ、装置本体２に対して開閉可能なパネル３を有するものである。
【００１１】
自動取引装置１は、装置本体２と、回転支点２ａを中心として装置本体２に対して垂直方向に回動可能に配置され、顧客操作表示部や現金の投入受取口が形成されたパネル３と、装置本体２の前面に配設されたフロントカバー４と、フロントカバー４に設けられ、装置本体２とパネル３との閉塞状態を保持して施錠する錠１０と、装置本体２とパネル３との閉塞状態を保持するロック機構部２０とを有している。
【００１２】
図１は実施例におけるロック機構部の側面説明図であり、図２に示す自動取引装置１のロック機構部２０を図中矢印Ａが示す方向から見た側面説明図である。また、図３は実施例におけるロック機構部の正面説明図であり、図２に示す自動取引装置１のロック機構部２０をフロントカバー４方向から見た正面説明図である。図４は実施例における左側ロック機構部の斜視図である。
【００１３】
図１および図３、図４において、ロック機構部２０は、左側ロック機構部２０ａおよび右側ロック機構部２０ｂからなり、錠１０と、錠シャフト１１と、リンク１２と、回動部材１３と、ロック台１４と、ロックブラケット１５と、ロックシャフト１６と、ロック受け１７と、連結シャフト１８と、回動部材２３と、ロック台２４と、ロックブラケット２５と、ロックシャフト２６と、ロック受け２７とにより構成されている。
錠１０と、錠シャフト１１と、リンク１２と、回動部材１３、２３と、ロック台１４、２４と、ロックブラケット１５、２５と、ロックシャフト１６、２６と、連結シャフト１８とは装置本体２に設けられ、またロック受け１７、２７は、パネル３に設けられている。
【００１４】
なお、図１は、左側ロック機構部２０ａを示している。また、パネル３は図１中矢印Ｆが示す垂直方向に回動可能に配設され、装置本体２に対する開閉が可能になっている。
錠１０は、挿入された鍵３０により回転可能なものであり、フロントカバー４に設けられたものである。この錠１０は、鍵３０が嵌合する嵌合穴１０ａを有し、嵌合する鍵３０を回転させることにより、フロントカバー４と略直交する方向を回転軸として図３中矢印Ｃが示す方向に回転可能になっている。なお、本実施例では、錠１０は、挿入された鍵３０により回転するものとして説明するが、レバー等の取っ手により回転するようにしても良い。
【００１５】
錠シャフト１１は、錠１０に取り付けられ、錠１０の回転軸方向に延びる棒状部材であり、錠１０の回転とともに軸方向を回転中心として回転するものである。この錠シャフト１１の端部には、錠シャフト１１の回転とともに回転する回転板１１ａが取り付けられ、その回転板１１ａに突起部１１ｂが形成されている。
リンク１２は、錠１０の回転とともに回転する錠シャフト１１の回転に伴って図中矢印Ｄが示す略鉛直方向に移動する部材であり、装置本体２のリンク支持部に摺動可能に支持されている。
【００１６】
このリンク１２の一方の端部には、錠１０の突起部１１ｂと係合し、突起部１１ｂを摺動可能にする係合孔１２ａが略水平方向に延びるように形成されている。
したがって、錠１０の回転により錠シャフト１１および回転板１１ａとともに回転する突起部１１ｂが、係合孔１２ａの壁面を押し上げまたは押し下げ、リンク１２は略鉛直方向に移動する。
また、リンク１２の他方の端部には、回動部材１３を回動可能に連結する連結部１２ｂが形成されている。
【００１７】
回動部材１３は、連結シャフト１８に取り付けられ、連結シャフト１８を回転支点として回動可能に支持され、一端部にリンク１２の連結部１２ｂに回動可能に連結され、他端部にはロックシャフト１６の係合部１６ａと係合する長尺状の係合孔１３ｂが形成されている。この回動部材１３は、リンク１２の移動に伴って回転支点を中心として回動し、その回転運動を連結シャフト１８に伝達する。
ロック台１４は、ねじ等の固定部材により装置本体２に固定された部材である。このロック台１４は、側面が台形状に形成され、自動取引装置の前面に向けて傾斜面１４ａが形成されている。
【００１８】
支持部材としてのロックブラケット１５は、ねじ等の固定部材によりロック台１４の傾斜面１４ａに固定され、側面がコ字状の部材であり、対向する２つの貫通孔１５ａ、１５ｂを支持部としてロックシャフト１６を移動（摺動）可能に支持するものである。
移動部材としてのロックシャフト１６は、ロック台１４の傾斜面１４ａと略平行するようにロックブラケット１５に摺動可能に支持された棒状の部材であり、その側部には回動部材１３の係合孔１３ｂと係合する係合部１６ａが形成されている。
【００１９】
ロックシャフト１６は、回動部材１３の回動に伴って係合孔１３ｂにより係合部１６ａが押し上げまたは押し下げられてパネルの回転支点（図２に示す回転支点２ａ）とを結ぶ方向である図中矢印Ｅが示す方向に摺動（移動）し、ロックブラケット１５から突出し、またはロックブラケット１５に引き込まれてロックシャフト１６の先端部１６ｂがパネル３に対して接近または離間する方向へ移動することができるようになっている。
したがって、錠１０の回転により、リンク１２が上下動し、そのリンク１２により回動する回動部材１３により、ロックシャフト１６は摺動し、先端部１６ｂがパネル３に対して接近または離間する。
【００２０】
係合部材としてのロック受け１７は、パネル３が装置本体２に対して閉塞した状態でロックブラケット１５から突出したロックシャフト１６が嵌入するものであり、ねじ等の固定部材によりパネル３の装置本体２側に固定された部材である。このロック受け１７は、パネル３の開閉とともに、図２に示す回転支点２ａを中心とした図１中矢印Ｆが示す円弧方向に回動する。
このロック受け１７は、側面が三角形状に形成され、その一辺を含む面がパネル３に固定され、他の一辺を含む面（当接面１７ｂ）がロック台１４の傾斜面１４ａに当接するように形成され、さらに他の一辺を含む面にロックシャフト１６が嵌入可能な係合部としての嵌入穴１７ａが形成されている。
【００２１】
ロック受け１７の当接面１７ｂは、ロックブラケット１５よりパネル３側のロック台１４の傾斜面１４ａに形成され、パネル３を閉塞状態にしたとき、傾斜面１４ａの全面に当接するように形成されている。
このように、左側ロック機構部２０ａは、錠１０と、錠シャフト１１と、リンク１２と、回動部材１３と、ロック台１４と、ロックブラケット１５と、ロックシャフト１６と、ロック受け１７とにより構成されている。
回動部材２３は、連結シャフト１８に取り付けられて回動可能に支持され、連結シャフト１８の回転とともに回動する。
【００２２】
ロック台２４は、ロックブラケット２５、ロックシャフト２６、およびロック受け２７は、ロック台１４、ロックブラケット１５、ロックシャフト１６、およびロック受け１７と同様の構成であるのでその説明を省略する。
このように、右側ロック機構部２０ｂは、回動部材２３と、ロック台２４と、ロックブラケット２５と、ロックシャフト２６と、ロック受け２７とにより構成されている。
連結シャフト１８は、左側ロック機構部２０ａの回動部材１３と、右側ロック機構部２０ｂの回動部材２３とを連結し、左側ロック機構部２０ａの回動部材１３の回動を右側ロック機構部２０ｂの回動部材２３に伝達する。
【００２３】
したがって、錠１０を回転させることにより、左側ロック機構部２０ａのロックシャフト１６、および左側ロック機構部２０ａのロックシャフト２６を図中矢印Ｅが示す方向へ移動させることができるようになっている。
このように構成されたロック機構部２０のロックシャフト１６、２６の先端部１６ｂ、２６ｂは、錠１０の一方向の回転（正回転）に伴って移動するリンク１２および回動する回動部材１３、２３によりロックブラケット１５から突出するように移動し、ロック受け１７、２７の嵌入穴１７ａ、２７ａに嵌入することにより、パネル３の装置本体２に対する回動が規制されて閉塞状態が保持され、ロックされる。
【００２４】
また、ロックシャフト１６、２６の先端部１６ｂ、２６ｂは、錠１０の他方向の回転（逆回転）に伴って移動する１２および回動する回動部材１３、２３によりロックブラケット１５、２５内へ引き込むように移動し、ロック受け１７、２７の嵌入穴１７ａ、２７ａから抜け出ることにより、パネル３の装置本体２に対する回動の規制が解除され解放可能な状態になり、ロックが解除される。
鍵３０は、錠１０を回転させて、ロックシャフト１６、２６の先端部１６ｂ、２６ｂをロックブラケット１５から突出するように移動させた状態のときに、錠１０から抜くことが可能になっている。
【００２５】
したがって、ロックシャフト１６、２６の先端部１６ｂ、２６ｂをロックブラケット１５、２５から突出するように移動させた状態で鍵３０を錠１０から抜き、パネル３を閉塞させる方向へ回動させると、パネル３のロック受け１７、２７の当接面（１７ｂ、２７ｂ）はロックシャフト１６、２６に当接してパネル３とフロントカバー４との間に、間隙が形成される。
つまり、鍵３０が錠１０から抜かれた状態では、ロックシャフト１６、２６がロックブラケット１５、２５から突出し、パネル３を開放状態から閉塞する方向へ回動させると、パネル３のロック受け１７、２７がロックシャフト１６、２６に当接してパネル３と装置本体２との間に間隙が形成される。
【００２６】
なお、本実施例では、ロックシャフト１６、２６は、棒状の部材として説明したが、それに限られることなく、板状部材としても良い。
また、ロックシャフト１６、２６は、棒状の部材で図２に示すパネル３の回転支点２ａに向けて摺動可能なものとして説明したが、それに限られることなく、図９に示すように、回動可能な板状部材１１６として図２に示すパネル３の回転支点２ａに向けてロックブラケット１５から突出し、または引き込むようにしても良い。
【００２７】
上述した構成の作用について説明する。
図５は実施例における鍵を抜いた状態のロック機構部を示す説明図、図６は実施例におけるロック前のロック機構部を示す説明図、図７は実施例におけるロック後のロック機構部を示す説明図である。
ロック機構部の作用を図５、図６、図７に基づき、図３を参照しながら説明する。
図５において、鍵３０を錠１０から抜いた状態では、ロックシャフト１６、２６の先端部１６ｂ、２６ｂをロックブラケット１５、２５から突出した状態となっており、この状態でパネル３を閉塞させるように回動させると、パネル３のロック受け１７、２７はロックシャフト１６、２６の先端部１６ｂ、２６ｂに当接してパネル３の回動が規制されて停止する。
【００２８】
したがって、パネル３と装置本体２（フロントカバー４）との間に、間隙３２が形成されるため、明らかにパネル３が完全に閉塞されていない解放状態であることが、外観目視で容易に判別可能になる。
ロックシャフト１６、２６は、パネル３の回転方向に対して略直交する方向に摺動するように配置されているため、強めの操作でパネル３を閉塞させた場合であっても、ロックシャフト１６、２６が移動して誤ってロックされることはない。
【００２９】
また、パネル３を閉塞させる場合は、図６に示すように、鍵３０を錠１０に差し込み、図３における時計方向に回転させると、リンク１２は図６中矢印Ｄ１が示す上方向に移動し、リンク１２に連結された回動部材１３が回動することにより回動部材２３も回動し、ロックシャフト１６、２６は図６中矢印Ｅ１が示す方向に移動してロックブラケット１５、２５内へ引き込む。
【００３０】
このように、ロックシャフト１６、２６がロックブラケット１５、２５内へ引き込むように移動した状態では、パネル３のロック受け１７、２７はロックシャフト１６、２６と当接しないため、パネル３のロック受け１７、２７の一面をロック台１４、２４の傾斜面１４ａ、２４ａに接触させて閉塞させることができる。なお、ロックシャフト１６、２６がロックブラケット１５、２５内へ引き込むように移動した状態では、鍵３０を錠１０から抜取ることはできない。
【００３１】
パネル３が閉塞した状態を保持するようにロックする場合は、図７に示すように、鍵３０を錠１０に差し込んだ状態で図３における反時計方向へ回転させると、リンク１２は図７中矢印Ｄ２が示す下方向に移動し、リンク１２に連結された回動部材１３が回動することにより回動部材２３も回動し、ロックシャフト１６、２６は図７中矢印Ｅ２が示す方向に移動してロックブラケット１５、２５から突出し、パネル３のロック受け１７、２７の嵌入穴１７ａ、２７ａに嵌入するように移動する。
【００３２】
このように、ロックシャフト１６、２６がパネル３のロック受け１７、２７の嵌入穴１７ａ、２７ａに嵌入した状態では、パネル３の閉塞状態が保持され、ロックされる。このロックシャフト１６、２６がパネル３のロック受け１７、２７の嵌入穴１７ａ、２７ａに嵌入した状態では、鍵３０を錠１０から抜取ることができるようになり、自動取引装置は運用を開始できる状態になる。
ここで、ロックシャフト１６、２６とロック受け１７、２７の位置関係を図８に基づいて説明する。なお、図８はロックシャフト１６とロック受け１７の位置関係を示す説明図であり、ロックシャフト２６とロック受け２７の位置関係も同様である。
【００３３】
図８は、ロックシャフト１６がロック受け１７と当接している状態を示している。この状態において、ロック受け１７と当接するロックシャフト１６の部位を当接部１６ｃ、ロック受け１７のロック台１４側の先端部１７ａが描く軌道を円弧８１、その円弧８１とロックシャフト１６の当接部１６ｃ側の端部との交点を仮想交点８１ａとすると、仮想交点８１ａとロックブラケット１５のロックシャフト支持部１５ａとの距離Ｄｂは、仮想交点８１ａとロックシャフト１６の当接部１６ｃとの距離Ｄａより小さくなるように、ロックブラケット１５、ロックシャフト１６、およびロック受け１７が配置されている。本実施例では、例えば距離Ｄａを５〜１０ｍｍ、距離Ｄｂを３〜５ｍｍとしている。
【００３４】
このように、ロックブラケット１５、ロックシャフト１６、およびロック受け１７を配置したことにより、図３に示すパネル３を閉塞させてロック受け１７がロックシャフト１６に当接してもロックシャフト１６が曲がってしまうようなことがなく、ロックシャフト１６の強度を十分に確保することができる。
【００３５】
以上説明したように、本実施例では、鍵が錠から抜かれた状態では、ロックシャフトの先端部をロックブラケットから突出させるようにしたことにより、鍵を抜いた状態でパネルを閉塞回動させたとき、パネルのロック受けがロックシャフトの先端部に当接してパネルの閉塞回動を規制し、パネルは解放した位置のままとなり、パネルとフロントカバーとの間に、間隙が形成されるため、明らかにパネルが完全に閉塞されていない解放状態であることが、外観目視で容易に判別可能になるという効果が得られる。
【００３６】
これにより、パネルの不十分な閉塞状態を容易に視認でき、自動取引装置の安全性を確保することができるという効果が得られる。
なお、本実施例では、本発明を自動取引装置に適用する例で説明したが、それに限られることなく、鍵および錠で開閉可能にするパネルを有する装置に本発明を適用することができる。
【符号の説明】
【００３７】
１    自動取引装置
２    装置本体
３    パネル
４    フロントカバー
１０  錠
１１  錠シャフト
１２  リンク
１３、２３  回動部材
１４、２４  ロック台
１５、２５  ロックブラケット
１６、２６  ロックシャフト
１７、２７  ロック受け
１８  連結シャフト
２０  ロック機構部
２０ａ  左側ロック機構部
２０ｂ  右側ロック機構部
３０  鍵
【図１】
2015031964.tif 000003
【図２】
2015031964.tif 000004
【図３】
2015031964.tif 000005
【図４】
2015031964.tif 000006
【図５】
2015031964.tif 000007
【図６】
2015031964.tif 000008
【図７】
2015031964.tif 000009
【図８】
2015031964.tif 000010
【図９】
2015031964.tif 000011
【図１０】
2015031964.tif 000012
【図１１】
2015031964.tif 000013